(57)【特許請求の範囲】
【請求項１】
背面にコネクターを突設した電子機器ユニットをラック内のサブラックに収容するサブラック装置において、
前記電子機器ユニットの側面側に配置された側板と、
前記電子機器ユニットを前記サブラックの所定位置に固定させるストッパーと、を備え、
前記ストッパーを解除することにより、前記サブラックの前面側の所定位置に固定された前記電子機器ユニットを前記前面側の所定位置から前記側板上を後方向に摺動させ、前記サブラックの後面側から前記コネクターに結線できる位置まで前記電子機器ユニットを移動可能としたサブラック装置。
【請求項２】
前記ストッパーは、前記サブラックの後面側から前記コネクターに結線できる位置にて、前記電子機器ユニットを前記サブラックに固定することができるとともに、前記サブラックに固定された前記電子機器ユニットの固定状態を解除できることを特徴とする請求項１記載のサブラック装置。
【請求項３】
前記サブラックは、複数の前記電子機器ユニットを収容可能とした請求項１または請求項２記載のサブラック装置。
【請求項４】
前記ストッパーは、薄板板金製であり、
略長方形状の基板の後端部に穿設された回転孔と、
前記基板の先端部に屈曲させて形成された垂直状の把持片と、
前記基板の先端部側部に突設させた係合爪と、
前記係合爪と反対側の側部に垂直状に上方へ向けて突設させたバネ片と、が備えられ、
前記回転孔は、電子機器ユニットに設けられた回転軸に外嵌めさせ、
前記把持片は、電子機器ユニットの前面の起立前板に設けられた角孔から突出させ、
前記係合爪は、電子機器ユニットの側面の起立側板の前端に設けられた角孔から突出させるとともに、前記サブラックに設けられた角孔から突出させ、
前記バネ片は、電子機器ユニットに設けられた押圧軸に当接することにより、前記係合爪が前記サブラックに設けられた角孔から突出する方向に弾性を持たせた請求項１〜３のいずれか１項に記載のサブラック装置。
【発明の詳細な説明】
【０００１】
【発明の属する技術分野】
本発明は、背面にコネクターを突設した電子機器ユニットをサブラックに収容するサブラック装置に関するものである。
【０００２】
【従来の技術】
従来のヘッドエンドは、ラックに電子機器ユニットが直接固定されているため、背面側に密集した多くのコネクターを持つ電子機器ユニットや、上下に奥行きの長さが異なる電子機器ユニットが存在した場合、各電子機器ユニットの背面側のスペースが狭くなり、各電子機器ユニットにおけるコネクタと同軸ケーブルの接続作業が非常に困難であった。
【０００３】
また、ヘッドエンドの各電子機器ユニットの上下の厚みはＪＩＳで約５０ｍｍ、ＥＩＡで約４４ｍｍの規格で定められており、最小サイズが決まっている。そのため、最小サイズ以下の厚みの小型電子機器ユニットを収容するのに、サブラック装置を用いてラックへ取付けを行っていた。
【０００４】
【発明が解決しようとする課題】
しかし、小型とした各電子機器ユニットでは背面側に設けられたコネクタへの同軸ケーブルの接続作業がかなり狭いスペースで行わなければならず、大変煩雑な作業を行う必要があった。
【０００５】
そこで、ヘッドエンドでの同軸ケーブル接続作業が容易にでき、電子機器ユニットを小型化して省スペースとすることが求められている。
【０００６】
【課題を解決するための手段】
本発明は、上記の事情に鑑み、ヘッドエンド内に収容するサブラック装置での同軸ケーブル接続作業が容易にできるようにすべく、背面にコネクターを突設した電子機器ユニットをラック内のサブラックに収容するサブラック装置において、電子機器ユニットの側面側に配置された側板と、電子機器ユニットをサブラックの所定位置に固定させるストッパーと、を備え、ストッパーを解除することにより、サブラックの前面側の所定位置に固定された電子機器ユニットを前面側の所定位置から側板上を後方向に摺動させ、サブラックの後面側からコネクターに結線できる位置まで電子機器ユニットを移動可能としたサブラック装置とした。
【０００７】
また、本発明は、ヘッドエンド内に収容するサブラック装置での同軸ケーブル接続作業がさらに容易にできる構成として、ストッパーは、サブラックの後面側からコネクターに結線できる位置にて、電子機器ユニットをサブラックに固定することができるとともに、サブラックに固定された電子機器ユニットの固定状態を解除できるサブラック装置とした。
【０００８】
さらに、本発明は、ヘッドエンド内に収容されるサブラックは、複数の電子機器ユニットを収容可能としたサブラック装置とした。
【０００９】
さらにその上に、本発明は、ヘッドエンドでの同軸ケーブル接続作業が容易にできる具体的構成として、ストッパーは、薄板板金製であり、略長方形状の基板の後端部に穿設された回転孔と、基板の先端部に屈曲させて形成された垂直状の把持片と、基板の先端部側部に突設させた係合爪と、係合爪と反対側の側部に垂直状に上方へ向けて突設させたバネ片と、が備えられ、回転孔は、電子機器ユニットに設けられた回転軸に外嵌めさせ、把持片は、電子機器ユニットの前面の起立前板に設けられた角孔から突出させ、係合爪は、電子機器ユニットの側面の起立側板の前端に設けられた角孔から突出させるとともに、サブラックに設けられた角孔から突出させ、バネ片は、電子機器ユニットに設けられた押圧軸に当接することにより、係合爪がサブラックに設けられた角孔から突出する方向に弾性を持たせたサブラック装置とした。
【００１０】
【発明の実施の態様】
本発明を添付する図面に示す具体的な実施例に基づいて、以下詳細に説明する。図１３は本発明のサブラック装置を収容するラック９１の正面図である。図１４は図１３の側面図である。
【００１１】
図１は、サブラック８１と電子機器ユニット８２との全体の概要を示す斜視図である。
【００１２】
図２は、サブラック８１の分解斜視図である。
【００１３】
図３は、電子機器ユニット８２の分解斜視図である。
【００１４】
図４は、サブラック８１を構成する側板１と側板２との斜視図である。
【００１５】
図５は、サブラック８１を構成する連結板３およびフロントアングル４の斜視図である。
【００１６】
本発明のサブラック装置は、図１３および図１４に示すように、ラック９１内にサブラック８１を介して後述する複数の電子機器ユニット８２（例えば分岐器ユニット、分配器ユニット、混合器ユニット）が収容されている。
【００１７】
図４に示す側板１は、薄板板金製で、起立させた細長い長方形状の基板１１の上下辺からそれぞれ同一方向で水平状の曲げ板１２を連ね、基板１１の前辺には外向きの前曲げ板１５、基板１１の後辺には内向きの後曲げ板１６をそれぞれ連ねる。曲げ板１２には連結板３を取付けるためのタップ１３を刻設する。基板１１の前端部には四角状の角孔１４を複数個穿設する。
【００１８】
図４に示す側板２は、薄板板金製で、起立させた細長い長方形状のコ字状断面で、基板２１の上下辺からそれぞれ内向方向で水平状の曲げ板２３を連ねる。基板２１には前端部に四角状の角孔２２を複数個穿設する。なお、コ字状断面の幅Ｌは、後述する電子機器ユニットの幅より若干大きくし、前記ユニットの前後方向の摺動をスムーズに行うように設定している。
【００１９】
図５に示す連結板３は、薄板板金製で、コ字状断面であって、水平で細長い長方形状の基板３１の前後辺から上向きあるいは下向きの垂直状の曲げ板３３を連ねる。基板３１の両端部には側板１との取付用孔３２を複数個穿設する。
【００２０】
図５に示すフロントアングル４は、厚板板金製で、垂直状の基板４５の上下辺からそれぞれ内向きの内向き曲げ板４１を水平状に連ね、基板４５の前辺には外向きの外向き曲げ板４３を連ねる。内向き曲げ板４１には側板１を取付ける取付用孔４２を穿設し、外向き曲げ板４３にはヘッドエンドラックへの取付用孔４４を穿設する。
【００２１】
側板１と側板２とは、図１・図２に示すように、スポット溶接等にて固着し、この際、側板１の角孔１４と側板２の角孔２２とを合致させる。
【００２２】
左右の側板１・側板２は、図２に示すように、上下から各連結板３により連結する。前端部はフロントアングル４を介在させて、ネジ８３をフロントアングル４の取付用孔４２、連結板３の取付用孔３２に挿通させ、側板１のタップ１３に共締めさせる。ネジ８４は側板１のタップ１３に連結板３のみを螺締する。
【００２３】
なお、図１に示すサブラックは、２個の電子機器ユニットを上下に取付ける構造としている。
【００２４】
図３に電子機器ユニット８２の分解斜視図を示す。
【００２５】
電子機器ユニット８２は、本体ケース５とカバー６と、図７に示すストッパー７，７’とよりなり、図６で本体ケース５、カバー６は反転させたものも示してあり、図７でもストッパー７が対称に反転させて示してある。
【００２６】
本体ケース５は、図６に示すように、薄板板金製で、長方形状の基板５１の前後左右辺からそれぞれ同一方向に垂直状に起立前板５７、起立後板５９、起立側板５３を連ね、これ等の起立前板５７、起立後板５９、起立側板５３からそれぞれ内方へ水平方向の前内曲げ板８５、後内曲げ板８６、側内曲げ板５５を連ねる。
【００２７】
基板５１側部後端寄りにはストッパー７の回転軸５２を起立させ、基板５１側部前端寄りにストッパー７のバネ片７３を当接させる押圧軸５２’を起立させる。起立側板５３の前端下部には角孔５４を穿設し、側内曲げ板５５の前端部および後端部にはそれぞれタップ５６を刻設する。起立前板５７の両端下部には角孔５８が穿設してあり、起立前板５７には複数個（本図示例では８個）のモニター用コネクタ８７が配設され、さらにタップ５６’が刻設してある。起立後板５９には複数個（本図示例では１８個）の入出力端子用コネクター８８が配設されている。
【００２８】
なお、本体ケース５内には図示してないが電子回路（分配，分岐，混合等）が収容されている。
【００２９】
カバー６は、図６に示すように、前記本体ケース５を覆う大きさで、薄板板金製で、前記本体ケース５に対応する大きさの長方形状の基板６１の左右辺からそれぞれ同一方向に起立側板６３を垂直状に起立させ、起立側板６３に内曲げ板６５を水平状に連ねる。内曲げ板６５の前端部および後端部にそれぞれ孔６６を穿設する。基板６１側部の孔６６に対向する箇所にボルト８５が通過できる孔６７を穿設する。カバー６の前後辺には複数個（本図示例では前辺に４個、後辺に４個）の舌片６２を起立させ、側板６３と同一方向に突設し、舌片６２にネジ８５を挿通させる孔６４を穿設する。
【００３０】
ストッパー７は、図７に示すように、薄板板金製で、概略長方形状の基板７１の基端には回転孔７５を穿設し、基板７１の先端に屈曲させて垂直状の把持片７２を形成し、基板７１の前端部側部に係合爪７４を突設させ、係合爪７４と反対側の側部に垂直状のバネ片７３を上方へ向けて突設する。バネ片７３に弾性を持たせるため先端部に切欠き８６を刻設する。下に示したストッパー７’は上に表示したストッパー７の鏡面対称部品で同機能の部品であり、符号に  ’を付している。
【００３１】
ストッパー７は、図３および図９に示すように、回転孔７５を本体ケース５の回転軸５２に外嵌めし、係合爪７４を角孔５４から、把持片７２を角孔５８からそれぞれ突出させて取付ける。他方のストッパー７’も同様にして組付ける。
【００３２】
カバー６は、図３に示すように、ネジ８５を孔６７を通過させ、内曲げ板６５の孔６６を挿通させて本体ケース５のタップ５６に螺締し、この際、ネジ８５は孔６７を通過させて作業し、ネジ８５の頭部は基板６１上に露出させない。
【００３３】
次に、本サブラック装置の動作について述べる。
【００３４】
電子機器ユニット８２は、サブラック８１の側板２をガイドとしてサブラック８１の正面開口より挿入する。
【００３５】
図９の左図のように、ストッパー７はバネ片７３が押圧軸５２’で押し当てられており、その弾性により係合爪７４は角孔５４から本体ケース５外に突出している。さらに、係合爪７４はサブラック８１の側板２の角孔２２、側板１の角孔１４に係合している。図９の右図のように、把持片７２を内側に移動させることで係合爪７４が角孔１４，２２から係合状態がはずれ、係合爪７４の本体ケース５からの突出がなくなり、電子機器ユニット８２はサブラック８１内を前後方向へ自由に摺動可能となる。この状態で同軸ケーブルの接続作業がしやすい位置まで電子機器ユニット８２を後方向へ移動させる（図８の上段の電子機器ユニット８２の状態）。
【００３６】
さらに、同軸ケーブルの接続作業終了後、図８の下段の状態まで電子機器ユニット８２を移動させ、把持片７２を離すと、バネ片７３の弾性力により係合爪７４は側板１，２側に復帰し、係合爪７４が角孔５４に至ると、係合爪７４が角孔５４およびサブラック８１の角孔１４，２２と係合して、電子機器ユニット８２をサブラック８１の前面側の所定位置に固定する（図８の下段の電子機器ユニット８２の状態）。
【００３７】
ケーブル接続作業の際、電子機器ユニット８２を固定して行う場合は、図１５に示すようにして行う。側板１、側板２には角孔１４、角孔２２が穿設されているが、その他にストッパー７の係合爪７４が出入りする角孔９１を穿設している。このストッパー７の係合爪７４を解除するための斜状の解除片９２を突設する。
【００３８】
電子機器ユニット８２背面のコネクター８８と同軸ケーブルとを接続させる時は、把持片７２を内側へ移動させて係合爪７４を角孔１４，２２，５４から外して、図１６に示すように、角孔５４と角孔９１が一致する状態になるまで電子機器ユニット８２を後方へ移動し、係合爪７４を角孔５４、角孔９１に係合させ、サブラック８１へ電子機器ユニット８２を固定させた状態で、コネクター８８と同軸ケーブル９８端部の接栓との接続を行う。
【００３９】
接続作業終了後は、電子機器ユニット８２をサブラック８１の正面開口側へ移動させる際、サブラックの解除片９２により、係合爪７４が内側に押され、係合が解除される。その後、電子機器ユニット８２の角孔５４とサブラックの角孔１４、２２が一致するまで電子機器ユニット８２を移動させ、ストッパー７の係合爪７４が角孔５４、角孔１４、２２に係合して電子機器ユニット８２は所定の位置で固定される。
【００４０】
ストッパー７の他の実施例を、図１７、図１８に示す。
【００４１】
図１７に示すストッパー７ａは、薄板板金製で、概略長方形状の基板９３ａの基端に起立するＵ字状のバネ片９４ａを形成し、バネ片９４ａの先端外側に水平状の固定片９５ａを連ねる。基板９３ａの先端に屈曲させて垂直状の把持片９６ａを突設し、基板９３ａの中央側部に係合爪９７ａを突設する。固定部９５ａを電子機器ユニット８２にスポット溶接により固着する。
【００４２】
図１８に示すストッパー７ｂは、薄板板金製で、概略長方形状の基板９３ｂの基端一側部に起立するバネ片９８ｂを突設し、バネ片９８ｂの基端下部に水平状の固定片９５ｂを連ねる。基板９３ｂの先端に屈曲させて垂直状の把持片９６ｂを突設し、基端９３ｂの中央一側部に係合爪９７ｂを突設する。
【００４３】
図１９には、図１７、図１８に示すストッパー７ａ・７ｂを電子機器ユニット８２に取付けた例を示す。いずれも固定片９５ａ・９５ｂを電子機器ユニット８２にスポット溶接で固着する。なお、これらストッパー７ａ・７ｂの動作は、図９のストッバー７と同様であるので説明は省略する。
【００４４】
また、図示のフロントアングル４はＥＩＡ用であるが、フロントアングルをＥＩＡ用とＪＩＳ用を用意しておくと、他部品は共通で使用できる。
【００４５】
図１０に示すように、側板１とフロントアングル４とを上下方向の幅を高くすることにより、電子機器ユニット８２を数多く収容できるサブラック装置とすることができる。サブラックは規格サイズを合わせなければならないが、電子機器ユニット８２はそのサイズ内で上記のように複数に分けることが可能で、電子機器ユニットの高密度化、省スペース化が可能である。
【００４６】
図１１に示すように、側板１、側板２の角孔１４・２２を複数個設定することで、電子機器ユニット８２の固定位置を任意に選択できる。
【００４７】
図１２に示すように、奥行きの長さの異なる電子機器ユニット８２を混在させて使用しても、機能上問題はなく、電子機器ユニットを自由に摺動できるので、コネクタの接続作業等を容易に行うことができる。
【００４８】
また、電子機器ユニット８２は上下逆さまにして使用することもできる。この場合、ストッパーは電子機器ユニットの正面上方に位置され、例えば図８に示す角孔１４Ａに係合爪が係合するようになる。
【００４９】
【発明の効果】
本発明は、上述のように、背面にコネクターを突設した電子機器ユニットをラック内のサブラックに収容するサブラック装置において、電子機器ユニットの側面側に配置された側板と、電子機器ユニットをサブラックの所定位置に固定させるストッパーと、を備え、ストッパーを解除することにより、サブラックの前面側の所定位置に固定された電子機器ユニットを前面側の所定位置から側板上を後方向に摺動させ、サブラックの後面側からコネクターに結線できる位置まで電子機器ユニットを移動可能としたので、ヘッドエンド内に収容したサブラック装置での同軸ケーブル接続作業が容易にできる。
【００５０】
また、本発明は、ヘッドエンド内に収容したサブラック装置での同軸ケーブル接続作業がさらに容易にできる構成として、ストッパーは、サブラックの後面側からコネクターに結線できる位置にて、電子機器ユニットをサブラックに固定することができるとともに、サブラックに固定された電子機器ユニットの固定状態を解除できるサブラック装置としたので、コネクターの接続位置にてサブラック装置を保持でき、さらに作業性が向上する。そして、作業終了後は、容易に所定の位置に電子機器ユニットを移動させることができる。
【００５１】
さらに、本発明は、ヘッドエンド内に収容されるサブラックは、複数の電子機器ユニットを収容可能としたサブラック装置としたので、複数の小型化した電子機器ユニットを省スペースにサブラックへ収容ができ、ヘッドエンドでの同軸ケーブル接続作業が容易にできる。
【００５２】
さらにその上に、本発明は、具体的構成として、ストッパーは、薄板板金製であり、略長方形状の基板の後端部に穿設された回転孔と、基板の先端部に屈曲させて形成された垂直状の把持片と、基板の先端部側部に突設させた係合爪と、係合爪と反対側の側部に垂直状に上方へ向けて突設させたバネ片と、が備えられ、回転孔は、電子機器ユニットに設けられた回転軸に外嵌めさせ、把持片は、電子機器ユニットの前面の起立前板に設けられた角孔から突出させ、係合爪は、電子機器ユニットの側面の起立側板の前端に設けられた角孔から突出させるとともに、サブラックに設けられた角孔から突出させ、バネ片は、電子機器ユニットに設けられた押圧軸に当接することにより、係合爪がサブラックに設けられた角孔から突出する方向に弾性を持たせたサブラック装置としたので、把持片を内側へ移動させ、係合爪を各角孔から解除させて、スムーズに電子機器ユニットを摺動自在にすることにより、サブラック内に収容された電子機器ユニットのコネクターへの同軸ケーブル接続装置が容易である。
【図面の簡単な説明】
【図１】本発明のサブラック装置の具体的一実施例の電子機器ユニットとサブラックとの全体の概要を示す斜視図である。
【図２】本発明に係るサブラックの分解斜視図である。
【図３】本発明に係るサブラックの電子機器ユニットの分解斜視図である。
【図４】本発明に係る側板１と側板２との斜視図である。
【図５】本発明に係るサブラックの連結板とフロントアングルとの斜視図である。
【図６】本発明に係る電子機器ユニットの本体ケースとカバーとの斜視図である。
【図７】本発明に係る電子機器ユニットに取付けられるストッパーの斜視図である。
【図８】本発明のサブラックに取付けられた電子機器ユニットの摺動を説明するサブラック装置の側面図である。
【図９】本発明の電子機器ユニットをサブラックにストッパーで固定した状態、電子機器ユニットをサブラックからストッパーを解除した状態の平面図である。
【図１０】本発明の側板とフロントアングルとを上下方向に高くして電子機器ユニットを４個収容したサブラック装置の側面図である。
【図１１】本発明のサブラックの角孔を多数に設け、電子機器ユニットをサブラックの任意の位置に固定できるようにしたサブラック装置の側面図である。
【図１２】本発明の奥行き長さの異なる２個の電子機器ユニットを収容した状態のサブラック装置の側面図である。
【図１３】本発明のサブラック装置を収容するヘッドエンド装置の正面図である。
【図１４】図１３の側面図である。
【図１５】本発明のケーブル接続作業時において電子機器ユニットをサブラックにストッパーで固定した状態、サブラックより電子機器ユニットのストッパーを解除する前の状態の平面図である。
【図１６】本発明の電子機器ユニットのコネクターと同軸ケーブルとの接続する状態を示す側面図である。
【図１７】本発明の他の例のストッパーの斜視図である。
【図１８】本発明の別の例のストッパーの斜視図である。
【図１９】本発明の図１７、図１８のストッパーを電子機器ユニットに取付けサブラックに固定した例の平面図である。
【符号の説明】
８２…電子機器ユニット
８１…サブラック
８８…コネクター
７…ストッパー（ストッパー機構の例）
【図１】
0004627573.tif 000002
【図２】
0004627573.tif 000003
【図３】
0004627573.tif 000004
【図４】
0004627573.tif 000005
【図５】
0004627573.tif 000006
【図６】
0004627573.tif 000007
【図７】
0004627573.tif 000008
【図８】
0004627573.tif 000009
【図９】
0004627573.tif 000010
【図１０】
0004627573.tif 000011
【図１１】
0004627573.tif 000012
【図１２】
0004627573.tif 000013
【図１３】
0004627573.tif 000014
【図１４】
0004627573.tif 000015
【図１５】
0004627573.tif 000016
【図１６】
0004627573.tif 000017
【図１７】
0004627573.tif 000018
【図１８】
0004627573.tif 000019
【図１９】
0004627573.tif 000020